(57)【特許請求の範囲】
【請求項１】
ドクターローラの位置を調整することにより糊付ローラとドクターローラの間隔を調整して壁紙に塗布される糊付量を調整し、壁紙の裏面に糊付ローラにより糊を塗布する壁紙糊付機において、
ドクターローラを回転自在に軸支し、ドクターローラの回動中心と異なる回動中心で下部フレームに回動自在に軸支される軸部と、壁紙糊付機本体上部から操作されることにより上記軸部を回動させる操作レバーと、略扇形の円弧部に歯を有する歯形部とを具備するドクターローラ軸受部材と、
歯形部の歯に噛合して上記ドクターローラ軸受部材の回動を保持する保持部材とを有し、
壁紙糊付機本体の上部から操作レバーを操作することによって、ドクターローラの糊付ローラに対する位置を変位させて壁紙に塗布される糊付量を調整することを特徴とする壁紙糊付機。
【請求項２】
ドクターローラ軸受部材が、操作レバーを有する第１部材と、歯形部を有する第２部材とに分割できる構成であって、軸部は上記第１部材又は上記第２部材のいずれかに具備されていることを特徴とする請求項１記載の壁紙糊付機。
【請求項３】
操作レバーを有する第１部材を第２部材に取り付ける際に、上記操作レバーを壁紙搬入側あるいは壁紙排出側に向けた状態で第２部材に取り付ける取付手段を有することを特徴とする請求項１又は請求項２記載の壁紙糊付機。
【請求項４】
ドクターローラ軸受部材は、壁紙糊付機本体の上部から操作される操作レバー以外に、壁紙搬入側から操作される操作レバー又は壁紙排出側から操作される操作レバー又は壁紙糊付機側面から操作される操作ダイヤルの少なくとも１つを有して複数の操作手段を有することを特徴とする請求項１乃至請求項３のいずれかに記載の壁紙糊付機。
【請求項５】
ドクターローラ軸受部材の軸部の回動中心から操作レバーの先端までの距離が６３ｍｍ以上であり、ドクターローラ軸受部材の軸部の回動中心から歯形部の歯までの距離が７２÷６３×ドクターローラ軸受部材の軸部の回動中心から操作レバーの先端までの距離の計算式で算出される数値であることを特徴とする請求項１乃至請求項４のいずれかに記載の壁紙糊付機。
【請求項６】
操作レバーに対して延長用操作レバーを取付して操作し糊量の調整をすることを特徴とする請求項３、請求項４記載の壁紙糊付機。
【請求項７】
操作レバーの回動位置近傍に糊付量を認識するための目盛を設置し、目盛以外に糊付量が多くなる側においては幅を広く表示し、糊付量が少なくなる側においては幅を狭く表示する帯状表示部を有することを特徴とする請求項１乃至請求項６のいずれかに記載の壁紙糊付機。
【発明の詳細な説明】
【技術分野】
【０００１】
本発明は、壁紙の裏面に糊を塗布する壁紙糊付機に関するものである。更に詳しくは、壁紙に塗布する糊量を調整するドクターローラの位置決め機構に関するものである。
【背景技術】
【０００２】
壁紙糊付機において、壁紙に対して塗布する糊の調整を行う機構として、糊付ローラに対するドクターローラの位置を調整可能な構造とした位置決め調整機構のダイヤルを糊付機本体の側面や壁紙排出側前面部に設けることが知られている。
【０００３】
そして、壁紙排出側前面部に位置決め調整機構を設けた場合の課題を解決するために、糊付ローラとの対向間隔を変えることにより糊付ローラへの糊の付着量を調整するドクターローラと、ドクターローラの回転中心位置を変える位置決め調整機構とを有し、位置決め調整機構は、本体部前部両端に取り付けられた上下回動可能なレバー部材と、レバー部材の位置を示す表示機構とを含み、レバー部材の把手部が、本体部の前面に取り付けられ、表示機構は、本体部の前面で、把手部の側部に設けられており、把手部が表示機構の前部から突出するものであり、レバー部材が、レバーの回動を禁止する回動禁止手段を備え、回動禁止手段が、表示機構に形成したナット部と、レバー部材を貫通して、ナット部に嵌入可能なボルトとを含むことを特徴とした壁紙糊付機が知られている。（特許文献１）
【特許文献１】特許第３４１３５８１号公報
【発明の開示】
【発明が解決しようとする課題】
【０００４】
特許文献１に開示されている壁紙糊付機では、糊付機本体前面に位置調整ダイヤルを有する構成に比べて、目盛を正確に認識するためにはダイヤルの前面で目視しなければならないという課題や、かさ歯車を使用しているために壁紙糊付機自身が幅方向に大きくなってしまうという問題点や、ドクターローラの回転によって、扇形ギアのドクターローラ軸端保持部に摺動摩擦による力が扇形ギアに加わり、この力が扇形ギアの回動中心から偏芯した位置に加わるので、扇形ギアがモーメントによってドクターローラの回転方向に回動し、糊付ローラとドクターローラとの相対距離が設定した値から勝手に変化してしまうという問題は解決されたものの、改善する課題は残されているものであった。
【０００５】
特許文献１に開示された壁紙糊付機では、糊調整は壁紙排出側にレバー部材が設けられているため、壁紙を壁紙糊付機に設置している作業中は糊調整が非常にしづらいという課題が残っていた。というのも、壁紙を壁紙糊付機に設置する際には、作業者は壁紙糊付機の排出側ではない側に立って設置するのである。そして、壁紙糊付機の原反支持位置にセットし、ステーなどを通して所定の経路とし、壁紙糊付機の上部フレームを開いた状態で糊付ローラの上に糊付する壁紙を蛇行しないように平行度に注意しながら載置するのである。そして、上部フレームを閉じ、壁紙糊付機を動作させて、壁紙を少し糊付し、その糊の塗布具合を確認しているのである。そして糊の塗布具合が多ければ糊付ローラとドクターローラの隙間を閉じるように調整し、塗布具合が少なけれは逆に糊付ローラとドクターローラの隙間を開くように調整する。この作業中は、糊付作業者は原反載置側（壁紙搬入側）に立って作業しているのである。
【０００６】
そのため、壁紙糊付機の排出側前面に糊調整用手段が設けられていると調整の際に、糊付機前面に移動するか、上体を曲げて壁紙前面に手を伸ばし、のぞき込むような姿勢で糊量の調整をしなければならず負担のかかる作業をしなければならなかったのである。そのため、糊調整用手段が壁紙糊付機の排出側前面に位置するということは課題を有していたのである。
【０００７】
また、さらに、壁紙糊付機は壁紙施工現場に運んで作業をすることが通常で、自動車に積み運搬している。そのときには壁紙糊付機だけでなく、必要な工具、脚立、延長コードのリールなど多様な道具も同時に運搬しており、排出側前面に複雑な形状を持たせていると自動車での移動中に、それらの道具類が接触し、糊調整手段を損傷するということも発生していたのである。
【０００８】
そのため、他の道具類と接触する可能性がある面ではなく、壁紙長手方向の側面等に設けた実施も知られているが、糊調整のために手を伸ばせば届く位置ではあるが、どの目盛位置に調整ダイヤルが位置されているかを上体を曲げてのぞき込む必要があった。
【０００９】
またさらに、レバー部材を貫通してナット部に嵌入可能なボルトを設置してレバー部材を固定していても、扇形ギアとレバー部材に設けられている歯形部のかみ合いにガタつきが出やすく、そのガタつきによって、糊付ローラとドクターローラとの間の隙間が微妙に変化し、その結果糊塗布量にもその影響が出てしまうこともあるという課題を有していた。
【課題を解決するための手段】
【００１０】
上記課題を解決するために請求項１は、ドクターローラの位置を調整することにより糊付ローラとドクターローラの間隔を調整して壁紙に塗布される糊付量を調整し、壁紙の裏面に糊付ローラにより糊を塗布する壁紙糊付機において、ドクターローラを回転自在に軸支し、ドクターローラの回動中心と異なる回動中心で下部フレームに回動自在に軸支される軸部と、壁紙糊付機本体上部から操作されることにより上記軸部を回動させる操作レバーと、略扇形の円弧部に歯を有する歯形部とを具備するドクターローラ軸受部材と、歯形部の歯に噛合して上記ドクターローラ軸受部材の回動を保持する保持部材とを有し、壁紙糊付機本体の上部から操作レバーを操作することによって、ドクターローラの糊付ローラに対する位置を変位させて壁紙に塗布される糊付量を調整することを特徴とする。そのため、上記発明では、壁紙糊付機本体の上部から操作する操作レバーを壁紙糊付機本体の上面とほぼ同じ位置にして、糊付量に関する目盛等を上面から凹んだ位置に設けるなどすることで、壁紙糊付機から操作レバーを突出させずに操作できる構成とすることができる。
【００１１】
また、請求項２は、ドクターローラ軸受部材が、操作レバーを有する第１部材と、歯形部を有する第２部材とに分割できる構成であって、軸部は上記第１部材又は上記第２部材のいずれかに具備されていることを特徴とする。
【００１２】
また、請求項３は、操作レバーを有する第１部材を第２部材に取り付ける際に、上記操作レバーを壁紙搬入側あるいは壁紙排出側に向けた状態で第２部材に取り付ける取付手段を有することを特徴とする。
【００１３】
また、請求項４ドクターローラ軸受部材は、壁紙糊付機本体の上部から操作される操作レバー以外に、壁紙搬入側から操作される操作レバー又は壁紙排出側から操作される操作レバー又は壁紙糊付機側面から操作される操作ダイヤルの少なくとも１つを有して複数の操作手段を有することを特徴とする。
【００１４】
また、請求項５は、ドクターローラ軸受部材の軸部の回動中心から操作レバーの先端までの距離が６３ｍｍ以上であり、ドクターローラ軸受部材の軸部の回動中心から歯形部の歯までの距離が７２÷６３×ドクターローラ軸受部材の軸部の回動中心から操作レバーの先端までの距離の計算式で算出される数値であることを特徴とする。
【００１５】
また、請求項６は、操作レバーに対して延長用操作レバーを取付して操作し糊量の調整をすることを特徴とする。
【００１６】
また、請求項７は、操作レバーの回動位置近傍に糊付量を認識するための目盛を設置し、目盛以外に糊付量が多くなる側においては幅を広く表示し、糊付量が少なくなる側においては幅を狭く表示する帯状表示部を有することを特徴とする。
【発明の効果】
【００１７】
本発明により、糊付作業者が壁紙糊付機の壁紙搬入側あるいは搬出側のいずれにいたとしても、糊付量について壁紙糊付機本体の上部から操作できるためのぞき込むような姿勢を取る必要がなく身体への負担を軽減することができる。また、壁紙糊付機上部に設けたことで糊付量の目盛も見やすく、視認性も良い構成となっている。そして帯状表示により操作もしやすい構成となっている。
【００１８】
また、ドクターローラ軸受部材を第１部材と第２部材に分割すると、樹脂等で成型する場合に生産性が良い。そして操作レバーを任意の方向へ変更できる構成とした場合においては、壁紙糊付機上部で糊付量を変更する操作方法から、糊付作業者の任意位置側において操作をすることができる壁紙糊付機として提供することができる。
【００１９】
また、糊付量の変更操作手段である操作レバーや操作ダイヤルなどを複数有する場合においては、操作性の良い壁紙糊付機の提供ができる。
【００２０】
また、ドクターローラ軸受部材の軸部の回動中心から操作レバーの先端までの距離が６３ｍｍ以上であり、ドクターローラ軸受部材の軸部の回動中心から歯形部の歯までの距離が７２ｍｍ以上である場合は、操作レバーに操作レバーに回動禁止手段などを設けなくても糊付作業中の保持が確実にでき、かつ軽く操作できる壁紙糊付機が提供できる。
【発明を実施するための最良の形態】
【００２１】
本発明の実施の形態について説明する。図１は、壁紙糊付機の側面から見た状態の糊調整機構の説明図である。図２は壁紙糊付機本体部の斜視図で、壁紙排出側と壁紙排出側から見て左側の下部フレーム１、上部フレーム２、糊調整機構を説明する図である。図３は糊付量調整機構に関する説明図である。図４は、下部フレーム１へ糊付量調整機構の取付状態を説明する図である。
【００２２】
図１において、点線で示している糊付ローラ３に対してドクターローラ４の位置を変えて、糊付ローラ３とドクターローラ４の間隔を調整することによって、壁紙に塗布する糊付量が調整される。本発明においてはその糊量の調整を図１や図２に示すように、糊付機本体の上方から行えるようにしたことを特徴としている。以下の実施形態の説明においては、糊付量調整機構以外の部分に関する糊付機の構造等については省略している。また、糊調整機構は、壁紙糊付機両端部の下部フレームのそれぞれに設けるが、以下の説明においてはその片側のみの説明を行い、もう片側については勝手反対等の部材で構成できるために説明を省略する。
【００２３】
ドクターローラ４の軸端は、ドクターローラ軸受部材５の回動中心である点Ａから偏芯した位置にドクターローラ４の回動中心（点Ｂ）が位置するように軸受穴５ｄで軸支されており、ドクターローラ軸受部材５の軸部５ａが下部フレーム１の穴に回動自在に取り付けられている。（図４参照）そして、ドクターローラ軸受部材５には糊付機本体上部側から操作できるようにするための操作レバー５ｂが設けられており、下部フレーム１の開口部１ａから上方へ突出させている。
【００２４】
また、ドクターローラ軸受部材５の下方には、回動中心の点Ａから少なくとも７２ｍｍ以上離れた位置で歯形部５ｃが設けられている。以上の構成により、操作レバー５ｂを図１でドクターローラ軸受部材５が反時計回転方向に回動する方向に動かすと、糊付ローラ３とドクターローラ４の間隔は大きくなり、時計回転方向に回動させると間隔は小さくなる。６は操作レバー５ｂを反時計回転方向へ回転させたときに、歯形部５ｃの回転を規制するストッパーであり、７は時計回転方向への回転を規制するストッパーである。図１や図４に示すように、ストッパー６は下部フレーム１に設けられた台座部に取り付けた略Ｌ字状にした板部材であり、ストッパー７は下部フレーム１に螺合して取り付けた部材で構成している。もちろんこれらのストッパーの形状などは上記に説明した以外の種々のものが採用できることはいうまでもない。
【００２５】
歯形部５ｃの歯に噛み合ってドクターローラ軸受部材５の回動を保持する保持部材８を設けている。この保持部材８は図４に示すようにストッパー６の取付方法と同様に下部フレーム１に設けられた台座部に取り付ける構造としている。保持部材８は弾性力のある板状材を略Ｕ字型に曲げたもので、その先端に凸部８ａを設けている。操作レバー５ｂを操作すると、保持部材８の弾性力により、凸部８ａが噛み合っている歯形部５ｃの歯から離脱することによってドクターローラ軸受部材５が回動する。操作レバー５ｂの移動を停止すると、凸部８ａが歯形部５ｃの歯に噛み合うことによりドクターローラ軸受部材５の回動が停止され、ドクターローラ４と糊付ローラ３の間隔を保持する状態となる。そのため任意の糊付量となる位置へドクターローラ軸受部材５を回動させることができる構成となっている。
【００２６】
操作レバー５ｂを糊付機本体の上側で操作できる構成としているため、壁紙をセットするときに開閉していた上部フレーム２は、図２及び図５に示すように下部フレーム１の上方で壁紙糊付機の内側に位置させている。そして、上部フレーム２は、従来と同様に回動自在となるように回動部材（図示せず）により下部フレーム１に取り付けられ、上部フレーム２を閉じた状態ではパチン錠９で固定されるようになっている。この開閉可能な構造とパチン錠９による固定は従来の壁紙糊付機に採用されている構造である。
【００２７】
図５に示したように、操作レバー５ｂが回動する範囲より多少広い範囲の部分においては空間となるように上部フレーム２の形状を設計して段差２ａを設けている。また、図面においては、糊付機上面に操作レバーを突出した状態で開示しているが、突出させすぎると壁紙糊付機を運搬する際、把手２ｂを持ったときに手と干渉してしまうため、把手２ｂを持ったときに手と干渉しない程度だけ突出させた状態とするか、下部フレーム１の上面とほぼ同じ程度にしておくことが望ましい実施形態である。
【００２８】
上記のドクターローラ軸受部材５の形状とした場合の、保持部材８で回転を保持する力と操作レバー５ｂにかける力の大きさとについて当社の従来機との比較について説明する。
【００２９】
従来の壁紙糊付機においては、ドクターローラ４を軸受していた歯形部の回転半径は本発明の歯形部５ｃの約１／３であった。そのため、ドクターローラ４の回転によって保持部８が１つであると糊付け動作中に歯形部が回転してしまって糊付ローラとドクターローラ４の間隔が変化してしまう状況であったため保持部は２つ設けていた。従来の歯形部の回転半径をＲとすると、本発明の歯形部５ｃの回転半径は３Ｒであり、保持部で回動を保持する力をＦとすると従来と本発明の実施形態のそれぞれの回転しようとするモーメントは、
従来の形態のモーメント＝Ｒ×２Ｆ＝２ＲＦ
本発明の実施形態のモーメント＝３Ｒ×Ｆ＝３ＲＦ
となり、本発明の実施形態においては、回転しようとするモーメントに対して従来の形態に比べて１．５倍まで耐えられる構成となっている。
【００３０】
次に、操作レバー５ｂを操作する力について説明する。従来においては、壁紙糊付機側面に操作ダイヤルを設けている構成であった。操作ダイヤル（回転半径ｒ）に軸で接続されている歯車で歯形部を回転させていたので、その歯車の回転半径をｐとすると、本発明の実施形態の操作レバーの回転半径は３ｒで、歯形部５ｃの回転半径は４．５ｐである。
【００３１】
従来の形態では、操作ダイヤルを回転させる力×操作ダイヤル回転半径ｒ＝２Ｆ×歯車の回転半径となり、操作ダイヤルを回転させる力は２Ｆ×ｐ／ｒで表すことができる。
【００３２】
本発明の実施形態では、操作レバーを回動させる力×操作レバー回転半径３ｒ＝Ｆ×歯形部５ｃの回転半径４．５ｐであり、操作レバー５ｂを回動させる力はＦ×４．５ｐ／３ｒ＝１．５Ｆ×ｐ／ｒとなり従来の３／４の力で足りる構成となっているのである。以上は従来に対し操作レバー５ｂの回転半径を６３ｍｍ、歯形部５ｃの回転半径を７２ｍｍに設定したときの数値である。よって、従来に製造販売していた壁紙糊付機に比べて少ない力で操作レバー５ｂを回動させることができ、かつ、ドクターローラ４から受けるモーメントでは、ドクターローラ軸受部材５が回動しないように保持できる壁紙糊付機とできるのである。
【００３３】
次に第二の実施形態について説明する。図６に示すように、第二の実施形態は、上述したドクターローラ軸受部材５を操作レバ−部である第１部材１０と、ドクターローラ４の軸受部と歯形部を有する第２部材１１とに分割した構成としている。上記第１部材１０は操作レバー１０ａと取付部１０ｂで構成され、湾曲させた取付部１０ｂには第２部材１１にネジで取り付けするための長穴１０ｃを３箇所設けている。
【００３４】
第２部材１１は、軸部１１ａと、先に説明した実施形態と同様にドクターローラ４の回動中心は軸部１１ａの回動中心とは偏芯している軸受穴１１ｂと、歯形部１１ｃと、第１部材１０の取付雌ネジ１１ｄを２箇所設けている。
【００３５】
上記のように第１部材１０と第２部材１１のように分割することで製作する部材を小型化することができ、また、第１部材１０は壁紙糊付機の左右に設ける部材を共通化でき、部材の大きさを小型化できるため樹脂成形精度なども向上することなどが可能で生産性が良い実施形態となる。
【００３６】
また、取付部１０ｂに設けた３箇所の穴を長穴１０ｃとすることで、壁紙糊付機の上方で操作する場合だけでなく、第１部材１０の取付方向を変えて、壁紙排出側の面や壁紙搬入側の面に変更することもできる実施形態となる。というのも、壁紙糊付機の上方から糊調整ができるという効果を有するが、それ以上に排出側に置いておく方が自分の使い勝手に合致するというユーザーが一部には存在することが考えられるからである。
【００３７】
第１部材１０を壁紙糊付機本体の壁紙排出側に操作レバー１０ａの取付角度を変更するだけでは、壁紙排出側には届かないので、この場合は操作レバー１０ａに容易に着脱できる延長用操作レバー１０ｄ（延長する構造については図７参照）を準備しておく。延長用操作レバー１０ｄは、図７においてはネジ２箇所で固定するものを図に開示したが、操作レバー１０ａに対して単にはめ込んだり筆記用具のキャップのように被せるような形状のものでも良い。被せるような形状であれば、操作レバー１０ａの先端形状と嵌合して係止されるような一時係止構造を採用することも望ましい。また、操作レバー１０ａの長手方向に直交する方向からはめ込むことにより、延長した操作レバーとして使用できるようにしても良い。また、操作レバー１０ａを当初からスライドして伸びるようなレバーとしておくことも可能である。延長用操作レバーについては適宜種々な形状、取付方法が採用できるので特には限定しない。
【００３８】
そしてまた、第１部材１０の角度を変えて壁紙排出側の面や壁紙搬入側の面に変更する場合においては、下部フレーム１には、操作レバー１０ａもしくは延長用操作レバー１０ｄそれぞれに対して、開口部と目盛をそれぞれ設けておけば良いのである。（例えば壁紙排出側に設けた例として図７記載の下部フレーム１を参照）ユーザーに提供する際においては、操作レバー１０ａの取付角度を変えるかどうかは未定であるので、下部フレーム１に設けた開口部には、下部フレーム色と同等の色で製作した樹脂等で簡単に着脱できるはめ込み部材を取り付けしておくと良い。
【００３９】
また、図７に示すようにドクターローラ軸受部材５を、壁紙糊付機の上方と壁紙排出側で操作できる２つの操作レバー有する第１部材２０と第２部材１１と構成しても良いのである。
【００４０】
またさらに、図８のように、壁紙糊付機の上方から操作することと、壁紙排出側から操作できるレバーを有し、さらに壁紙糊付機の側面側に従来同様の糊調整ダイヤル１２を設けて、３つの方向から調整できるようにしても良いのである。もちろん、壁紙搬入側から操作できるようにすることも可能である。糊調整ダイヤル１２を設ける場合は、例えば図６において説明すると、ドクターローラ４を軸受けする軸受穴１１ｂは軸部１１ａと回動中心は偏芯した状態で設けておき、ドクターローラ４の軸と接しない外周面１１ｅを軸部１１ａと同一の回動中心となる円筒形にしておき、この円筒形を延長して壁紙糊付機の側面に突出させて、糊調整ダイヤルを六角穴付止めネジなどを使用して取り付けするように構成しておくと良いのである。このとき、壁紙糊付機の側面カバーを凹ませておき糊調整ダイヤル１２が壁紙糊付機の側面から突出しないようにしておくことが望ましい。もちろん取付け方法としてその他の構造が採用できることはいうまでもない。図８の１３は糊調整ダイヤルの基準線を合わせるための目盛である。
【００４１】
次に目盛について説明すると、図２や図５にも開示しているが、図８にて操作レバーに対する目盛１４について説明する。操作レバー１０ａを右に回動させると糊付ローラ３とドクターローラ４の間隔は小さくなり、その結果糊量は少なくなり、左に回動させると糊量は多くなる。この状態を視認しやすくするために、目盛１４には目盛以外に帯状表示部１４ａを設けている。この帯状表示部１４ａは糊量が多く塗布される側が幅広くなっており、糊量が少なく塗布される側の幅は狭くなっている。このため、帯状表示部１４ａの幅でどちらの側へ回動させると糊が多く塗布されるかを容易に視認できる。
【００４２】
操作レバー１０ａが鉛直方向に向いたときが基準となるように○印の内に２と記載した符号を目盛１４に付している。この○印の内に２と記載した符号は、この位置に操作レバー１０ａを合わせたときに、糊付ローラ３とドクターローラ４の間隔が丁度０．２ｍｍになっているということを意味している。そして、その状態で、ドクターローラ軸受部材５の歯形部５ｃの歯が保持部材８に噛み合って保持されているのである。この目盛１４は以上に説明した実施形態の全てに採用することができる。そしてまた、目盛と操作レバー１０ａの合わせた位置が視認し易いように操作レバー１０ａにはその中央に基準のラインなどを適宜設けておくことも望ましい。
【００４３】
また、上記の実施の形態においては、図６などで軸部１１ａは第２部材１１に設けた構成で説明しているが、壁紙糊付機の上方で操作する場合だけであれば、第１部材１０に軸部１１ａを設け、第２部材１１に取付穴である長穴１０ｃを設けた取付部１０ｂを設けてもよいのである。ただし、操作レバー１０ａの方向を変えて取り付ける場合には、第１部材１０に軸部１１ａを設けると取り付ける角度が変わり、偏芯位置が変わり、所定の糊付ローラ３とドクターローラ４の間隔とは違ってしまうため、操作レバー１０ａの角度を変更する前提の実施形態では軸部１１ａは第２部材１１に設けた状態としておくことが好ましい。
【図面の簡単な説明】
【００４４】
【図１】壁紙糊付機の側面から見た状態の糊調整機構の説明図である。
【図２】壁紙糊付機本体部の斜視図で、壁紙排出側と壁紙排出側から見て左側の下部フレーム、上部フレーム、糊調整機構を説明する図である。
【図３】糊付量調整機構に関する説明図である。
【図４】下部フレームへ糊付量調整機構の取付状態を説明する図である。
【図５】上部フレームを開いた状態を説明する図である。
【図６】本発明の別の実施形態を説明する図である。
【図７】本発明の別の実施形態を説明する図である。
【図８】本発明の別の実施形態を説明する図である。
【符号の説明】
【００４５】
１    下部フレーム
１ａ  開口部
２    上部フレーム
２ａ  段差
２ｂ  把手
３    糊付ローラ
４    ドクターローラ
５    ドクターローラ軸受部材
５ａ  軸部
５ｂ  操作レバー
５ｃ  歯形部
５ｄ  軸受穴
６    ストッパー
７    ストッパー
８    保持部材
８ａ  凸部
９    パチン錠
１０    第１部材
１０ａ  操作レバー
１０ｂ  取付部
１０ｃ  長穴
１０ｄ  延長用操作レバー
１１    第２部材
１１ａ  軸部
１１ｂ  軸受穴
１１ｃ  歯形部
１１ｄ  取付雌ネジ
１１ｅ  外周面
１２    糊調整ダイヤル
１３    目盛
１４    目盛
１４ａ  帯状表示部
【図１】
0005263731.tif 000002
【図２】
0005263731.tif 000003
【図３】
0005263731.tif 000004
【図４】
0005263731.tif 000005
【図５】
0005263731.tif 000006
【図６】
0005263731.tif 000007
【図７】
0005263731.tif 000008
【図８】
0005263731.tif 000009